(57)【要約】【課題】  乾燥運転中にフィルタで捕獲したリントが、乾燥運転を終了、停止した際や、フィルタを取外す際に、内槽の内部に落下することのないようにして、洗濯物へのリントの再付着の問題を生じないようにする。【解決手段】  外槽５の下部から周側部に下部排気通路１８を設けると共に、外槽カバー１９に上部排気通路２７を設け、内槽７の内部に供給した風が、それら下部排気通路１８及び上部排気通路２７を順に通って排出されるようにすると共に、上部排気通路２７の排出口部分に、排出される風からリントを捕獲する箱形を成すフィルタ３０を、前方への引出し構造にて着脱可能に設けた。【選択図】  図１
2005342298.tif 000002
【特許請求の範囲】
【請求項１】
機内部に、外槽と、この外槽の内部に位置する内槽、内槽を回転駆動する駆動装置、及び外槽の上端開口縁部を覆う外槽カバーを具えると共に、給風装置を具え、この給風装置により前記内槽の内部に風を供給して洗濯物を乾燥させるようにしたものにおいて、
前記外槽の下部から周側部に下部排気通路を設けると共に、前記外槽カバーに上部排気通路を設け、前記内槽の内部に供給した風が、それら下部排気通路及び上部排気通路を順に通って排出されるようにすると共に、
前記上部排気通路の排出口部分に、排出される風からリントを捕獲する箱形を成すフィルタを、前方への引出し構造にて着脱可能に設けたことを特徴とする乾燥機能付き洗濯機。
【請求項２】
フィルタが、風を周側面部から入れて上方へ排出するようになっていることを特徴とする請求項１記載の乾燥機能付き洗濯機。
【請求項３】
フィルタが、上面側を開閉可能に有することを特徴とする請求項２記載の乾燥機能付き洗濯機。
【請求項４】
フィルタが、両側面部に指懸け部を有すると共に、上面側を開閉可能に枢支したヒンジ軸をその指懸け部に有することを特徴とする請求項３記載の乾燥機能付き洗濯機。
【請求項５】
フィルタが、両側面部に指懸け部を有すると共に、フィルタを装着位置で上部排気通路の排出口部分に係止する爪部をその指懸け部の近傍に有することを特徴とする請求項１記載の乾燥機能付き洗濯機。
【請求項６】
フィルタが、上部排気通路の排出口部分の底面部に設けられた凹条に沿う凸条、又は上部排気通路の排出口部分の底面部に設けられた凸条に沿う凹条を有することを特徴とする請求項１記載の乾燥機能付き洗濯機。
【請求項７】
フィルタが、凸条の先端部と凹条の奥端部とを接触させて、フィルタの底面部を上部排気通路の排出口部分の底面部から離間させていることを特徴とする請求項６記載の乾燥機能付き洗濯機。
【発明の詳細な説明】
【技術分野】
【０００１】
本発明は、内槽の内部に給風して洗濯物を乾燥させる乾燥機能付き洗濯機に関する。
【背景技術】
【０００２】
近年、洗濯物の乾燥までができる乾燥機能付き洗濯機が供されている。このものは、機内部に、外槽と、この外槽の内部に位置する内槽、内槽を回転駆動する駆動装置、及び外槽の上端開口縁部を覆う外槽カバーを具えると共に、給風装置を具え、その給風装置により前記内槽の内部に風（例えば温風）を供給して洗濯物を乾燥させるようになっている。
【０００３】
そして、このものの場合、内槽の内部に供給された風は、外槽カバーに設けられた内蓋が有するフィルタを通じて外槽の外部に排出され、更に、外箱の底部開口等から機外に排出されるようになっている。フィルタは、その排出される風からリント（洗濯物から散出した糸くず）を捕獲するものであり、その捕獲したリントを除去するために、フィルタ自体は着脱可能となっており、特には上下方向に着脱可能となっている。
【特許文献１】特開２００３−３１１０６６号公報
【発明の開示】
【発明が解決しようとする課題】
【０００４】
上記従来のものの場合、排出風に運ばれるリントはフィルタの裏面に付着して捕獲される。しかして、そのフィルタの裏面に付着して捕獲されたリントは、乾燥運転を終了、停止した際や、更にはフィルタを上方に取外す際に、フィルタの裏面から離れて内槽の内部に落ち、洗濯物に再付着するという問題を呈していた。
【０００５】
本発明は上述の事情に鑑みてなされたものであり、従ってその目的は、フィルタで捕獲したリントが内槽の内部に落下することのないようにして、洗濯物へのリントの再付着の問題を解決できる乾燥機能付き洗濯機を提供するにある。
【課題を解決するための手段】
【０００６】
上記目的を達成するために、本発明の乾燥機能付き洗濯機においては、機内部に、外槽と、この外槽の内部に位置する内槽、内槽を回転駆動する駆動装置、及び外槽の上端開口縁部を覆う外槽カバーを具えると共に、給風装置を具え、この給風装置により前記内槽の内部に風を供給して洗濯物を乾燥させるようにしたものにおいて、前記外槽の下部から周側部に下部排気通路を設けると共に、前記外槽カバーに上部排気通路を設け、前記内槽の内部に供給した風が、それら下部排気通路及び上部排気通路を順に通って排出されるようにすると共に、前記上部排気通路の排出口部分に、排出される風からリントを捕獲する箱形を成すフィルタを、前方への引出し構造にて着脱可能に設けたことを特徴とする。
【発明の効果】
【０００７】
上記手段によれば、内槽の内部に供給した風が、外槽の下部から周側部に設けた下部排気通路、及び外槽カバーに設けた上部排気通路を順に通って排出され、そして、その上部排気通路の排出口部分に設けたフィルタを通って排出されるから、そのフィルタの裏面に付着して捕獲されるリントが、乾燥運転を終了、停止した際や、フィルタを取外す際にフィルタの裏面から離れても、内槽の内部に落ちることはない。又、フィルタ自体、箱形であり、捕獲したリントをその内部に貯めることができる。更に、フィルタは前方への引出し構造にて着脱可能であり、よって、フィルタを取外す際にフィルタの裏面から離れたリントが内槽の内部に落ちることを一層確実に避けることができる。
かくして、洗濯物へのリントの再付着の問題を解決することができる。
【発明を実施するための最良の形態】
【０００８】
以下、本発明の第１実施例（第１の実施形態）につき、図１ないし図１１を参照して説明する。
まず、図１には乾燥機能付き洗濯機の全体を縦断して表しており、底部に複数の脚１を有する外箱２と、これの最上部に装着したトップカバー３とで、外殻４を構成している。
【０００９】
機内部である外箱２の内部には、外槽５を、複数本（１本のみ図示）の吊り棒６ａを主体とする弾性吊持機構６により弾性支持して配設しており、この外槽５の内部に内槽７を配設している。内槽７の内部には、最下部に撹拌体８を配設しており、それら撹拌体８及び内槽７を洗濯時と脱水時及び乾燥時に関して選択的に回転駆動するモータを主体とする駆動装置９を、外槽５の外下方部に配設している。
【００１０】
一方、トップカバー３の内部には、前部に制御装置１０を配置し、後部に給風装置１１を配置している。このうち、制御装置１０は、乾燥機能付き洗濯機の作動全般を制御するためのもので、例えばマイクロコンピュータを主体に構成している。給風装置１１は、ファン１２を主体とするもので、機外部の空気をトップカバー３背部の吸入口１３から吸入し、それによって生起した風を下部の吐出口１４から下方へ吐出するようになっている。又、この場合、給風装置１１は、ヒータ１５をも有しており、それによって、生起した風を熱し、従って、吐出口１４からはその熱した風（温風）が吐出されるようになっている。
そのほか、トップカバー３の内部には給水装置を配置しており、この給水装置は、図示しないが、水道の水を蛇口から給水弁を通じて供給するものである。
【００１１】
ここで、前記外槽５は有底の円筒状を成しており、内槽７も同じく有底の円筒状を成し、この内槽７の上端開口縁部には、内周に回転バランサ１６を設けている。又、外槽５の下部、この場合、後側（図１では左側）の周側部の下部には、排気口１７を形成し、この排気口１７に連なる下部排気通路１８を、外槽５の上記後側の周側部の下部から上部にかけて該外槽５と一体の直状ダクト構成の成形により設けている。
【００１２】
一方、外槽５の上端開口縁部には、外槽カバー１９を装着している。図２は、その外槽カバー１９を拡大斜視して表しており、中央部に内蓋２０で図示しないパッキン等を介し気密に開閉される開口２１を有する環状にて、その開口２１の後側の部分で、左右２つのヒンジ支え２２により、内蓋２０のヒンジ軸（図示せず）を有するヒンジ部２３を上下回動可能に支持し、もって、内蓋２０を上下開閉可能に枢支している。
【００１３】
又、外槽カバー１９の後部には、通風口２４と通水口２５を左右に並べて形成しており、そのうち通風口２４は、図１に示す例えば蛇腹状の可撓ホース２６を介して前記給風装置１１の吐出口１４に接続している。通水口２５は、図示しない可撓ホースを介して前記前記給水装置の出口部に接続している。
【００１４】
更に、それら通風口２４及び通水口２５の後側から右側には、上部排気通路２７を設けている。図３は、その上部排気通路２７を、後側から斜視して表しており、該上部排気通路２７は、外槽カバー１９とは別体のもっぱら下面が開放した覆い部品２８を外槽カバー１９に複数（１つのみ図示）の取付爪１９ａにより取着して構成している。しかして、外槽カバー１９を外槽５の上端開口縁部に装着した状態では、前記下部排気通路１８に上部排気通路２７が接合されて連通する。
【００１５】
上部排気通路２７の先端部分である覆い部品２８の前部には、図４に示すように、上面から前面にかけて開口２９を形成しており、この開口２９は上部排気通路２７の排出口たるもので、この部分に開口２９を塞ぐようにしてフィルタ３０を装着している。
【００１６】
フィルタ３０は、洗濯物を乾燥させるときに散出するリントを捕獲するためのもので、全体に箱形、特には平面で、左右の両辺部がほゞ平行で、前後の両辺部が非平行な、ほゞ台形の歪な箱形を成し、それを図５にも示すように、上面側３１と下部側３２とで構成している。更に、そのうち、上面側３１は、格子状を成すフレーム３３に網３４を張着して成り、下部側３２は、上面から前面にかけて開口し、周側部のうちの左側面部と後側面部とにそれぞれ入気口３５，３６を有するケースから成っている。
【００１７】
更に、下部側３２の左右の両側面部の前部には、指懸け部３７を図７に示すくぼみ形状で形成しており、この指懸け部３７、特にこれの下部に軸孔３８を形成している。これに対して、上面側３１には、前部の左右両端部にヒンジ軸３９を形成しており、このヒンジ軸３９を上記軸孔３８に上下回動可能に嵌合し、かくして、上面側３１を下部側３２に枢支結合し、特にはその上下回動可能な構造により上下に開閉可能に枢支結合している。又、その結果、ヒンジ軸３９は指懸け部３７に存在している。
【００１８】
加えて、下部側３２の左右の両側面部中、指懸け部３７の後側近傍には、図８及び図９に示すように、爪部４０を、これの弾性変形のための周囲切欠部４１と共に形成しており、これに対応して、前記上部排気通路２７の前記開口２９による排出口部分、特に覆い部品２８の左右両内側面部には、爪部４０の係止を受ける係止受け部４２を図４に示すように形成している。
【００１９】
そのほか、上部排気通路２７の排出口部分、特にそれの底面部を構成する外槽カバー１９の後部上面には、前後に延びる左右２つの凹条４３を形成しており、これに対応して、フィルタ３０の下部側３２の外下面には、それに遊嵌される２つの凸条４４を形成している。
【００２０】
しかして、その構成で、フィルタ３０は、図４及び図１０に示すように、前方から上部排気通路２７の排出口部分に臨ませ、この位置から矢印Ｘで示すように後方へ進め、下部側３２の外下面（フィルタ３０の底面部）を上部排気通路２７の排出口部分における底面部である外槽カバー１９の後部上面に載せて、更に後方へと押し込めば、凸条４４が凹条４３に遊嵌してガイドされつつ、フィルタ３０は上部排気通路２７の排出口部分に開口２９を塞ぐように装着され、その装着位置では爪部４０が係止受け部４２に係止して抜け止めされる。
【００２１】
そして、その状態では、図１１に示すように、指懸け部３７が、覆い部品２８の前部の左右両側部に形成した欠除部４５から前方に突出しており、そこで、この指懸け部３７のうちの左側の指懸け部３７に右手の親指の指先を懸け、右側の指懸け部３７に同右手の中指又は人差し指の指先を懸けて、それらの指先によりフィルタ３０を挟み持ち、両側から圧するようにすれば、指懸け部３７の近傍に存する爪部４０の部分が内側にたわんで爪部４０が係止受け部４２から外れる。そこで更に、フィルタ３０を挟み持ったまま、矢印Ｙで示すように前方に引出すと、フィルタ３０は図４に示すように取外される。かくして、フィルタ３０を、前方への引出し構造にて着脱可能に設けている。
【００２２】
次に、上記構成のものの作用を述べる。
乾燥時には、給風装置１１が作動されると共に、内槽７が回転される。従って、給風装置１１からは、図１に矢印Ｚで示すように、風（温風）が可撓ホース２６から通風口２４を通じて外槽５内に供給され、更に、回転バランサ１６の内方を通じて内槽７内に供給される。このとき、内槽７内では図示しない洗濯物が内槽７の回転によって撹拌されており、内槽７内に供給された温風は、その撹拌中の洗濯物に接触して、撹拌体８の有する図示しない孔、及び内槽７が底部に有する同じく図示しない孔を通じ、排気口１７から下部排気通路１８に達する。そして、その下部排気通路１８から上部排気通路２７を順に通り、更に、フィルタ３０の下部側の周側面部に存する入気口３５，３６からフィルタ３０内に入って、上面側３１の網３４を通り上方へ排出され、更に、外槽５と外箱２との間を通って、各部の適当な隙間や、外箱２の底部の開口２ａから機外に排出される。
【００２３】
これを続けて内槽７の内部に位置した洗濯物を乾燥させるものであり、その乾燥運転中、排出風に運ばれるリントはフィルタ３０の特に上面側３１における網３４の裏面に付着して捕獲される。なお、捕獲されたリントは、フィルタ３０を取外すことによって、該フィルタ３０から容易に除去することができる。
【００２４】
このように本構成のものによれば、給風装置１１により、内槽７の内部に供給した風が、外槽５の下部から周側部に設けた下部排気通路１８、及び外槽カバー１９に設けた上部排気通路２７を順に通って排出され、そして、その上部排気通路２７の排出口部分に設けたフィルタ３０を通って排出されるもので、従来の外槽カバーに設けられた内蓋が有するフィルタを通って排出されるものとは異なり、上記フィルタ３０の裏面に付着して捕獲されたリントが、乾燥運転を終了、停止した際や、フィルタ３０を取外す際にフィルタ３０から離れても、内槽７の内部に落ちることはない。又、フィルタ３０自体、箱形であり、捕獲したリントをその内部に貯めることができる。そして更に、フィルタ３０は前方への引出し構造にて着脱可能であり、従来の上下に着脱されるフィルタと違って、フィルタ３０を取外す際に網３４の裏面から離れたリントが内槽７の内部に落ちることを一層確実に避けることができる。かくして、本構成のものの場合、洗濯物へのリントの再付着の問題を生じないようにすることができる。
【００２５】
加えて、本構成のものの場合、フィルタ３０は、風を周側面部（入気口３５，３６）から入れて（網３４から）上方へ排出するようになっており、これによって、網３４の裏面から離れたリントが入気口３５，３６からも内槽７の内部に落ちることのないようにできて、その内槽７の内部へのリントの落ちを一層確実に避けることができるから、洗濯物へのリントの再付着の問題を一層生じないようにすることができる。
【００２６】
又、本構成のものの場合、フィルタ３０は、リントが裏面に付着する上面側３１を開閉可能に有している。これにより、捕獲したリントを除去する折りには、フィルタ３０を前述のように取外した上で、更に上面側３１を開き、この状態で、上面側３１の裏面に付着したリントを容易且つ充分に除去することができる。
【００２７】
更に、本構成のものの場合、フィルタ３０は、両側面部に指懸け部３７を有すると共に、上面側３１を開閉可能に枢支したヒンジ軸３９をその指懸け部３７に有している。これにより、フィルタ３０を取外す折り、指懸け部３７に懸けた指による力でフィルタ３０の開きを防止し、更には前述のようにフィルタ３０を狭圧することで、ヒンジ軸３９の外れを防止しつつ、フィルタ３０の取外しができる。よって、その取外し途中に上面側３１が外れてリントを落とすというようなこともないようにでき、洗濯物へのリントの再付着の問題を更に生じないようにすることができる。
【００２８】
そして、フィルタ３０は、装着位置で上部排気通路２７の排出口部分における係止受け部４２に係止する爪部４０を上記指懸け部３７の近傍に有している。これにより、フィルタ３０を取外す折り、指懸け部３７に懸けた指による力でフィルタ３０狭圧することで、前述のように、爪部４０の部分が内側にたわんで爪部４０が係止受け部４２から外れるから、フイルタ３０の取外しが合理的にして容易にできる。
【００２９】
そのほか、フィルタ３０は、上部排気通路２７の排出口部分の底面部に設けられた凹条４３に沿う凸条４４を有している。これにより、リントを除去した後のフィルタ３０の取付けが、それらによるガイド作用で難なくできる。特に、本構成のものの場合、フィルタ３０は歪な形状を成すものであり、その取付けは困難になりがちであるが、それを上記凹条４３及び凸条４４によるガイド作用で難なくできるので、取扱い性が良く、装着姿勢も損ねることのないようにできる。
【００３０】
以上に対して、図１２は本発明の第２実施例（第２の実施形態）を示すもので、第１実施例と同一の部分には同一の符号を付して説明を省略し、異なる部分についてのみ述べる。
このものの場合、フィルタ３０は、凸条４４の先端部を凹条４３の奥端部に接触させて、フィルタ３０の底面部を上部排気通路２７の排出口部分の底面部（外槽カバー１９の後部上面）から寸法Ｌだけ離間させている。
【００３１】
これにより、フィルタ３０を着脱する際の凸条４４及び凹条４３によるガイド作用を得つつ、上部排気通路２７の排出口部分の底面部によるフィルタ３０の摺動抵抗を小さくでき、その分、フィルタ３０の着脱が第１実施例のものより容易にできる。
なお、凹条４３及び凸条４４については、凸条４４を上部排気通路２７の排出口部分の底面部に設け、凹条４３をフィルタ３０に設けるようにしても良い。
【００３２】
又、内槽７の内部に供給する風は、常温の風だけであっても良い（温風でなくても良い）。すなわち、給風装置１１は風を熱するヒータ１５を具えていなくても良い。
そのほか、本発明は上記し且つ図面に示した実施例にのみ限定されるものではなく、要旨を逸脱しない範囲内で適宜変更して実施し得る。
【図面の簡単な説明】
【００３３】
【図１】本発明の第１実施例を示す全体の縦断側面図
【図２】主要部分の前側から見た拡大斜視図
【図３】主要部分の後側から見た拡大斜視図
【図４】主要部分のフィルタ取外し状態における拡大斜視図
【図５】フィルタ単体の上面側開放状態における拡大斜視図
【図６】フィルタの下部側の拡大平面図
【図７】図６のＡ−Ａ線に沿う縦断正面図
【図８】フィルタ単体の拡大右側面図
【図９】フィルタ単体の拡大左側面図
【図１０】主要部分のフィルタ取外し状態における拡大側面図
【図１１】主要部分のフィルタ装着状態における拡大斜視図
【図１２】本発明の第２実施例を示す一部の縦断正面図
【符号の説明】
【００３４】
図面中、５は外槽、７は内槽、１１は給風装置、１８は下部排気通路、１９は外槽カバー、２７は上部排気通路、２９は開口（排出口）、３０はフィルタ、３１は上面側、３５，３６は入気口、３７は指懸け部、４０は爪部、４２は係止受け部、４３は凹条、４４は凸条を示す。
【図１】
2005342298.tif 000003
【図２】
2005342298.tif 000004
【図３】
2005342298.tif 000005
【図４】
2005342298.tif 000006
【図５】
2005342298.tif 000007
【図６】
2005342298.tif 000008
【図７】
2005342298.tif 000009
【図８】
2005342298.tif 000010
【図９】
2005342298.tif 000011
【図１０】
2005342298.tif 000012
【図１１】
2005342298.tif 000013
【図１２】
2005342298.tif 000014